【手続補正書】
【提出日】平成18年5月10日(2006.5.10)
【手続補正１】
【補正対象書類名】明細書
【補正対象項目名】特許請求の範囲
【補正方法】変更
【補正の内容】
【特許請求の範囲】
【請求項１】
光信号を導くための入力導波路及び出力導波路を備える信号経路と、
前記信号経路に光学的に接続され、ポンピング波長の光エネルギを受けることに応答して前記入力導波路から前記出力導波路に前記光信号を伝え、前記ポンピング波長の前記光エネルギを受けない場合には、前記光信号を減衰させるポンプ依存減衰器手段と、
前記信号経路に送り込むための光エネルギを連続発生し、前記ポンピング波長で光エネルギを発生する状態を備えている、ポンプ手段と、
前記ポンプ手段によって発生された光エネルギの波長、及び前記ポンプ手段から前記ポンプ依存減衰器手段への経路の伝送特性の一方を制御するためのポンプエネルギコントローラ手段とを含み、
前記伝送特性が、前記ポンピング波長における前記光エネルギに固有である、光スイッチ。
【請求項２】
前記ポンプエネルギコントローラ手段が、反射セクションを備えた光エネルギディレクタであり、前記反射セクションは、前記ポンプ手段によって発生された前記ポンピング波長の光エネルギが前記ポンプ依存減衰器手段の方へ送られる第１の状況と、前記ポンプ手段によって発生された前記ポンピング波長の光エネルギが前記ポンプ依存減衰器手段から離れる方向に送られる第２の状況とを備えている、請求項１に記載のスイッチ。
【請求項３】
前記光ディレクタが、前記ポンピング波長を含む狭波長帯域を阻止するように同調することが可能な、同調可能ファイバブラッググレーティングである、請求項２に記載のスイッチ。
【請求項４】
前記ポンプ手段が、前記ポンピング波長において光エネルギが発生する前記状態に固定されたレーザポンプである、請求項３に記載のスイッチ。
【請求項５】
前記光ディレクタが、前記ポンピング波長を含む狭波長帯域を通すように同調可能なバンドパスフィルタである、請求項２に記載のスイッチ。
【請求項６】
前記ポンプエネルギコントローラ手段が、光エネルギ波長帯域の反射率を備えるファイバブラッググレーティングを含む、請求項１に記載のスイッチ。
【請求項７】
前記ファイバブラッググレーティングが、前記光エネルギ波長帯域の反射率に関して固定され、前記ポンプエネルギコントローラ手段が、前記ポンプ手段によって発生された前記波長の光エネルギを調整するために接続されている、請求項６に記載のスイッチ。
【請求項８】
前記ポンプ依存減衰器手段が、エルビウムドープファイバである、請求項１に記載のスイッチ。
【請求項９】
入力導波路及び出力導波路に光学的に接続された波長依存光減衰器を備える光学システムに入力される光信号の伝送を制御する方法であって、
ポンピング波長で光ポンプエネルギを選択的に発生するステップと、
伝送経路を介して、前記光ポンプエネルギを前記光減衰器の方へ伝送するステップと、
前記光ポンプエネルギを前記光減衰器に通すための第１の経路状態と、前記光減衰器から前記光ポンプエネルギを阻止するための第２の経路状態との間で、前記伝送経路に沿った状態を選択的にスイッチするステップと、
前記光ポンプエネルギが、前記伝送経路を介して前記光減衰器に伝えられる場合に、前記光学システムの前記出力導波路に光信号を伝えるステップと、
前記光ポンプエネルギが前記光減衰器から阻止される場合に、前記光学システム内の前記光信号を減衰させるステップとから成る、方法。
【請求項１０】
前記光ポンプエネルギの前記伝送経路に沿って前記状態を選択的にスイッチする前記ステップが、目標波長の光エネルギを反射するファイバブラッググレーティングを同調させるサブステップを含み、前記目標波長が前記光減衰器の動作に関連している、請求項９に記載の方法。
【請求項１１】
前記光ポンプエネルギの前記伝送経路に沿って前記状態を選択的にスイッチする前記ステップが、目標波長の光エネルギを通すバンドパスフィルタを同調させるサブステップを含み、前記目標波長が前記光減衰器の動作に関連している、請求項９に記載の方法。
【請求項１２】
光信号の伝送を案内するための第１の入力導波路と、
前記第１の入力導波路に光学的に関連付けられ、前記光信号の伝送を案内するための第１の出力導波路と、
前記第１の出力導波路に光学的に関連付けられ、光エネルギを連続的に出力するための出力を備える光減衰器ポンプ源と、
第１の個別制御可能な光スイッチとを含み、
前記第１の個別制御可能な光スイッチが、
前記光減衰器ポンプ源に光学的に接続され、前記第１の入力導波路及び前記第１の出力導波路を含む連続した光路に配置された光減衰器であって、その光減衰器は、前記光信号の前記伝送が前記光減衰器によって減衰されないように、前記光減衰器が前記光減衰器ポンプ源によって発生されたポンピング波長の光エネルギに光学的に接触する第１の状況、及び前記光信号の前記伝送が前記光減衰器によって減衰されるように、前記光減衰器が前記光減衰器ポンプ源によって発生された前記ポンピング波長の光エネルギに光学的に接触しない第２の状況を有する、光減衰器と、
前記光減衰器と前記光減衰器ポンプ源とに光学的に関連付けられ、前記光減衰器ポンプ源からの光エネルギ出力が前記光減衰器から離れる方向に送られる状態を備える光減衰器ポンプ源ディレクタとを有する、光信号を制御するための光学システム。
【請求項１３】
前記光減衰器ポンプ源ディレクタが、前記状態中に前記ポンピング波長で光エネルギを反射する摂動を有する同調可能ファイバブラッググレーティングである、請求項１２に記載の光学システム。
【請求項１４】
前記光減衰器が、エルビウムドープファイバである、請求項１２に記載の光学システム。
【請求項１５】
前記光減衰器ポンプ源ディレクタが、バンドパスフィルタである、請求項１２に記載の光学システム。
【請求項１６】
前記第１の入力導波路と前記第１の出力導波路とに光学的に接続された光カプラと、
前記光カプラと前記第１の入力導波路とに光学的に接続された第２の出力導波路と、
前記第１の個別制御可能な光スイッチと構造的に同等であり、前記第２の出力導波路に光学的に接続された第２の個別制御可能な光スイッチとをさらに含む、請求項１２に記載の光学システム。
【請求項１７】
前記第１の入力導波路と前記第１の出力導波路とに光学的に接続された１×Ｎ光カプラと、
前記１×Ｎ光カプラに光学的に接続されたＮ−１個の第２の出力導波路と、
Ｎ−１個の第２の個別制御可能な光スイッチとをさらに含み、
前記Ｎ−１個の第２の個別制御可能な光スイッチが、前記第１の個別制御可能な光スイッチと構造的に同等であり、前記Ｎ−１個の第２の個別制御可能な光スイッチの各々が、前記Ｎ−１個の第２の出力導波路に１対１で光学的に接続されている、請求項１２に記載の光学システム。
【請求項１８】
前記第１の入力導波路に光学的に接続され、部分反射ミラーを有する利得媒体と、
前記利得媒体の前記部分反射ミラーに光学的に接続されたレーザ出力導波路と、
前記第１の出力導波路と前記Ｎ−１個の第２の出力導波路とに１対１の対応関係で接続されたＮ個の信号リフレクタとをさらに含み、
前記Ｎ個の信号リフレクタは、前記第１の光スイッチ及び前記Ｎ−１個の第２の光スイッチが前記光減衰器ポンプ源と前記Ｎ個の信号リフレクタとの間の光路に配置されるように、接続されている、請求項１７に記載の光学システム。
【請求項１９】
前記第１の入力導波路と前記第１の光スイッチとの間に光学的に接続された第１の光カプラと、
前記第１の光スイッチと前記第１の出力導波路との間に光学的に接続された第２の光カプラと、
前記第１の光カプラに光学的に接続された第２の出力導波路と、
前記第１の光スイッチと構造的に同等であり、前記第１の光カプラと前記第２の光カプラとの間に光学的に接続された第２の光スイッチと、
前記第１の光カプラと前記第２の光カプラとの間に、且つ前記第１の光スイッチと同じ光路上で光学的に接続された第１のリフレクタとをさらに含み、
前記光信号が、前記第２の光スイッチ又は前記第１の光スイッチの一方をそれぞれ付勢することにより、前記第１の出力導波路又は前記第２の出力導波路を介して伝送され得る、請求項１２に記載の光学システム。
【請求項２０】
Ｎ個の入力光カプラであって、それぞれが１個の入力×Ｎ個の出力を有し、１つの出力導波路が前記Ｎ個の出力のそれぞれに光学的に接続されており、前記出力導波路がぞれぞれ、前記第１の光スイッチと構造的に同等である制御可能な光スイッチに接続されており、前記Ｎ個の入力光カプラのそれぞれが、前記光減衰器ポンプ源及び追加の光ポンプ源の一方に光学的に接続されている、Ｎ個の入力光カプラと、
Ｎ−１個の追加入力導波路であって、前記第１の入力導波路及び前記Ｎ−１個の入力導波路が、前記１個の入力によって前記Ｎ個の入力光カプラのそれぞれに１対１で光学的に接続されている、Ｎ−１個の追加入力導波路と、
Ｎ個の出力光カプラであって、それぞれがＮ個の入力×１個の出力を有し、前記Ｎ個の入力光カプラのそれぞれからの、Ｎ個の前記出力導波路が、前記Ｎ個の出力光カプラのそれぞれに接続されている、Ｎ個の出力光カプラと、
それぞれが前記Ｎ個の出力光カプラの各出力に接続されたＮ個のブロードキャスト導波路とをさらに含み、
前記光学システムが、前記入力導波路と前記ブロードキャスト導波路との間で光信号を、選択的にマルチキャストスイッチ、ブロードキャストスイッチ、及びスイッチできる、請求項１２に記載の光学システム。